(57)【要約】【課題】コップの底の部分に様々な造形物を自由に収容することが可能であり、容易に作製することが可能な装飾コップおよびその製造方法の提供。【解決手段】装飾コップ１は、上面２０Ａが開口された第１収容部２Ａと、下面２０Ｂが開口された第２収容部２Ｂと、第１収容部２Ａと第２収容部２Ｂとを区分して第１収容部２Ａの底面を構成する底板部２１Ｂとを有する透明な容器本体２と、容器本体２の下面２０Ｂに接着され、第２収容部２Ｂの開口を閉塞する容器底部３と、容器底部３の上面３０に接着され、第２収容部２Ｂに収容される造形物４とを含む。【選択図】図３
2020174970.tif 000002
【特許請求の範囲】
【請求項１】
上面が開口された第１収容部と、下面が開口された第２収容部と、前記第１収容部と前記第２収容部とを区分して前記第１収容部の底面を構成する底板部とを有する透明な容器本体と、
前記容器本体の下面に接着され、前記第２収容部の開口を閉塞する容器底部と、
前記容器底部の上面に接着され、前記第２収容部に収容される造形物と
を含む装飾コップ。
【請求項２】
前記容器底部の下部に着脱可能であり、上面が開口された第３収容部を有する補助容器を含む請求項１記載の装飾コップ。
【請求項３】
前記容器底部は、不透明かつ前記造形物の主な色と反対色である請求項１または２に記載の装飾コップ。
【請求項４】
前記容器底部は、陶磁器製である請求項１から３のいずれか１項に記載の装飾コップ。
【請求項５】
前記容器本体は、前記第１収容部を形成する内容器と、前記内容器の上端部に接合された外筒とから構成される請求項１から４のいずれか１項に記載の装飾コップ。
【請求項６】
請求項１から５のいずれか１項に記載の装飾コップの製造方法であって、
前記容器底部の上面に造形物を接着剤により接着すること、
前記造形物が接着された容器底部を、前記容器本体の下面に接着剤により接着すること
を含む装飾コップの製造方法。
【発明の詳細な説明】
【技術分野】
【０００１】
本発明は、コップの底の部分に造形物を配設した装飾コップおよびその製造方法に関する。
【背景技術】
【０００２】
従来、コップを上底と下底との二重底とし、この二重底の部分に空間を作り、球状のガラス玉を移動できるように入れた装飾コップが知られている（例えば、特許文献１参照。）。この装飾コップは、下底の中にガラス玉を入れ、その上に上底を重ね、熱によって焼き付けることによって作製される。
【先行技術文献】
【特許文献】
【０００３】
【特許文献１】実開昭６３−４７７６７号公報
【発明の概要】
【発明が解決しようとする課題】
【０００４】
上記従来の装飾コップは、一旦形成された下底と上底とをガラス玉を入れた後に熱によって焼き付けるため、組み立てに非常に手間がかかる。また、この装飾コップは二重底の部分にガラス玉を入れているため、焼き付け時の熱による影響はないが、熱の影響を受けるようなものは入れることができず、収容物を自由に選択することができない。
【０００５】
そこで、本発明においては、コップの底の部分に様々な造形物を自由に収容することが可能であり、容易に作製することが可能な装飾コップおよびその製造方法を提供することを目的とする。
【課題を解決するための手段】
【０００６】
本発明の装飾コップは、上面が開口された第１収容部と、下面が開口された第２収容部と、第１収容部と第２収容部とを区分して第１収容部の底面を構成する底板部とを有する透明な容器本体と、容器本体の下面に接着され、第２収容部の開口を閉塞する容器底部と、容器底部の上面に接着され、第２収容部に収容される造形物とを含むものである。
【０００７】
本発明の装飾コップによれば、透明な容器本体が、下面が開口された第２収容部を有し、上面に造形物が接着された容器底部を容器本体の下面に接着するだけで容易に作製することが可能であり、容器底部の上面に接着する造形物の制約もなく、様々な造形物を自由に収容することが可能である。容器底部の上面に接着された造形物は、透明な容器本体を通して見ることができる。
【０００８】
本発明の装飾コップは、容器底部の下部に着脱可能であり、上面が開口された第３収容部を有する補助容器を含むものであることが望ましい。これにより、上面が開口された第１収容部には例えば飲み物を入れ、第３収容部にはこの飲み物に添える摘まみ物等を入れることが可能となる。
【０００９】
ここで、容器底部は、不透明かつ造形物の主な色と反対色であることが望ましい。これにより、容器底部上に接着された造形物を透明な容器本体を介して見たときに背景となる容器底部が不透明かつ造形物の主な色と反対色であるため、造形物が映えるようになる。なお、従来の二重底の装飾コップの二重底の部分に造形物を収容しても下底を通してその下が見えるため、造形物は目立たなくなる。
【００１０】
また、容器底部は、陶磁器製であることが望ましい。これにより、容器本体の第２収容部に収容される造形物だけでなく、この造形物が上面に接着される陶磁器製の容器底部により高級感が得られる装飾コップとなる。
【００１１】
上記本発明の装飾コップの製造方法は、容器底部の上面に造形物を接着剤により接着すること、造形物が接着された容器底部を、容器本体の下面に接着剤により接着することを含む。これにより、組み立ての際に透明な容器本体を加熱などすることなく、接着剤により容易に組み付けて作製することが可能となる。
【発明の効果】
【００１２】
（１）上面が開口された第１収容部と、下面が開口された第２収容部と、第１収容部と第２収容部とを区分して第１収容部の底面を構成する底板部とを有する透明な容器本体と、容器本体の下面に接着され、第２収容部の開口を閉塞する容器底部と、容器底部の上面に接着され、第２収容部に収容される造形物とを含む構成により、コップの底の部分に様々な造形物を自由に収容して、透明な容器本体を通して見ることが可能な装飾コップが得られる。
【００１３】
（２）容器底部の下部に着脱可能であり、上面が開口された第３収容部を有する補助容器を含むものであることにより、第１収容部に入れる飲み物だけでなく、この飲み物に添える摘まみ物等を第３収容部に入れることが可能な装飾コップが得られる。
【００１４】
（３）容器底部が不透明かつ造形物の主な色と反対色であることにより、造形物を透明な容器本体を介して見たときに造形物が映えるようになり、美的外観に優れた装飾コップが得られる。
【００１５】
（４）容器底部が陶磁器製であることにより、造形物だけでなく、この造形物が上面に接着される陶磁器製の容器底部により高級感が得られ、さらに美的外観に優れた装飾コップが得られる。
【図面の簡単な説明】
【００１６】
【図１】本発明の実施の形態における装飾コップの斜視図である。
【図２】図１の装飾コップの平面図である。
【図３】図１の装飾コップを分解した状態における縦断面図である。
【図４】図１の装飾コップの変形例を示す縦断面図である。
【図５】本発明の別の実施形態を示す装飾コップを分解した状態における縦断面図である。
【図６】本発明のさらに別の実施形態を示す装飾コップを分解した状態における縦断面図である。
【発明を実施するための形態】
【００１７】
図１は本発明の実施の形態における装飾コップの斜視図、図２は図１の装飾コップの平面図、図３は図１の装飾コップを分解した状態における縦断面図である。
図１〜図３に示すように、本発明の実施の形態における装飾コップ１は、上面２０Ａが開口された第１収容部２Ａと下面２０Ｂが開口された第２収容部２Ｂとを有する透明な容器本体２と、容器本体２の下面に接着される容器底部３と、容器底部３の上面に接着される造形物４とから構成される。
【００１８】
容器本体２は、全体が透明なガラスにより形成されている。容器本体２は、上面２０Ａが開口した内容器２１と、内容器２１の上端部に接合され、下面２０Ｂが開口した外筒２２とから構成される。内容器２１は、上方に向かうにつれて拡径する逆円錐台状であり、錐体面を構成する側板部２１Ａと、底面を構成する底板部２１Ｂとを有する。外筒２２は、下方に向かうにつれて縮径する逆円錐台状であり、錐体面を構成する側板部２２Ａを有する。
【００１９】
内容器２１の側板部２１Ａと底板部２１Ｂとで囲まれた空間が第１収容部２Ａを構成する。内容器２１の側板部２１Ａおよび底板部２１Ｂと外筒２２の側板部２２Ａとで囲まれた空間が第２収容部２Ｂを構成する。すなわち、第１収容部２Ａと第２収容部２Ｂとは、内容器２１の側板部２１Ａおよび底板部２１Ｂによって区分されている。
【００２０】
容器底部３は、陶磁器により形成された不透明なものである。また、容器底部３は造形物４の主な色と反対色としている。例えば、造形物４が白基調の場合、容器底部３は黒色系とし、造形物４が黒基調の場合、容器底部３は白色系とする。また、造形物４が明色系の場合、容器底部３を暗色系とし、造形物４が暗色系の場合、容器底部３を明色系とすることもできる。容器底部３は、容器本体２の下面２０Ｂに接着剤を用いて接着される。容器底部３の上面３０には、容器本体２の下面に接着する際、外筒２２が嵌合して位置決め可能にするための凹部３１が形成されている。容器底部３は、容器本体２の下面２０Ｂに接着されることにより、第２収容部２Ｂの開口を閉塞する。
【００２１】
造形物４は、陶磁器により形成されたものである。造形物４は、図示のように折り鶴状のものの他、犬、猫、蛇、蛙や花弁など動植物、車や船などの乗り物、縁起物、各地の観光名所を表すオブジェやキャラクター物などを自由に選択することが可能である。造形物４は、容器底部３の上面に接着剤を用いて接着される。あるいは、容器底部３および造形物４の両方が陶磁器製の場合、釉薬接着や生地接着することで一体形成することも可能である。造形物４は、容器底部３が容器本体２の下面に接着されることにより第２収容部２Ｂに収容される。なお、造形物４は、ガラス製、金属製やプラスチック製とすることも可能である。
【００２２】
上記構成の装飾コップ１では、透明な容器本体２が、下面２０Ｂが開口された第２収容部２Ｂを有し、上面３０に造形物４が接着された容器底部３を容器本体２の下面に接着するだけで容易に作製することが可能である。第２収容部２Ｂ内に収容可能な大きさであれば、容器底部３の上面３０に接着する造形物４の制約もなく、様々な造形物４を自由に収容することが可能である。
【００２３】
そして、容器底部３の上面３０に接着された造形物４は、透明な容器本体２を通して見ることができる。また、本実施形態における装飾コップ１では、容器底部３上に接着された造形物４を透明な容器本体２を介して見たときに背景となる容器底部３が不透明かつ造形物の主な色と反対色であるため、図２に示すように造形物４が映えるようになり、美的外観に優れたものとなる。また、容器底部３が陶磁器製であるため、高級感が得られ、さらに美的外観に優れたものとなっている。なお、容器底部３はプラスチック製や金属製とすることも可能である。
【００２４】
なお、容器本体２は全体が透明なプラスチック製とすることも可能である。要するに、容器本体２は透明な素材により形成されたものであれば良く、容器本体２を通して容器底部３の上面に接着された造形物４を見ることができれば良い。一方、本実施形態における容器本体２はガラス製であるため、長期に渡って透明度を維持することが可能であり、容器本体２を通して見える造形物４の見え方が変わることがない。
【００２５】
図４は図１の装飾コップ１の変形例を示す縦断面図である。図４に示す装飾コップ１では、容器底部３に、第２収容部２Ｂと外部とを貫通する貫通孔３２を備えている。この貫通孔３２により第２収容部２Ｂ内と外部とが通気可能となるため、第１収容部２Ａに熱いものを入れた場合に第２収容部２Ｂ内の空気が膨張しても貫通孔３２を通じて空気が抜けるようになる。これにより、第２収容部２Ｂ内の空気が膨張して容器底部３の上面に圧力がかかって、容器底部３が外れるのを防止することができる。
【００２６】
また、図４に示すように、容器本体２と容器底部３とを接着した後に、この貫通孔３２を通じて第２収容部２Ｂに水などの液体４０を注入することができる。第２収容部２Ｂに液体を注入した後に貫通孔３２を塞ぐことで、第２収容部２Ｂ内に造形物４とともに液体４０を収容することができる。これにより、魚やカニなどの水棲生物を造形物４とした場合に、水棲生物が水中にいるかのような雰囲気を有する装飾コップ１が得られる。
【００２７】
次に、本発明の装飾コップの別の実施形態について説明する。
図５は本発明の別の実施形態を示す装飾コップを分解した状態における縦断面図である。なお、図５において、前述の装飾コップ１と共通の構成要素については同一符号を付し、その詳細な説明を省略する。
【００２８】
図５に示す装飾コップ５は、容器本体２の下面に接着される容器底部６の下部に着脱可能な補助容器７を有する構成である。補助容器７は、上面が開口された第３収容部２Ｃを有する。また、補助容器７には、容器底部６の下部に固定するための凸部７０が形成されている。一方、容器底部６の下部には、補助容器７を嵌めて回転させることにより補助容器７の凸部７０と嵌合して、補助容器７を固定するための凹部６０が形成されている。
【００２９】
この装飾コップ５では、第１収容部２Ａには例えば飲み物を入れ、第３収容部２Ｃにはこの飲み物に添える摘まみ物等を入れることが可能である。容器底部６の下面６１を平坦面とすることで、補助容器７を取り外した状態で装飾コップ５をテーブルなどの上に置くことが可能である。これにより、装飾コップ５の第２収容部２Ｂ内の造形物４を眺めつつ、補助容器７の第３収容部２Ｃに入れた摘まみ物等を食しながら、第１収容部２Ａ内の飲み物を飲むことが可能となる。
【００３０】
なお、容器底部６と補助容器７との脱着機構については、補助容器７の凸部７０および容器底部６の凹部６０以外の構成を採用しても良い。
【００３１】
図６は本発明のさらに別の実施形態を示す装飾コップを分解した状態における縦断面図である。なお、図６において、前述の装飾コップ１と共通の構成要素については同一符号を付し、その詳細な説明を省略する。
【００３２】
図６に示す装飾コップ８は、全体が透明なガラスにより形成される容器本体９が、上面９０Ａが開口した上容器９１と、上容器９１の下端部に接合され、下面９０Ｂが開口した筒状部９２とから構成される。上容器９１は、上方に向かうにつれて拡径する逆円錐台状であり、錐体面を構成する側板部９１Ａと、底面を構成する底板部９１Ｂとを有する。筒状部９２は円筒状であり、円筒面を構成する側板部９２Ａを有する。
【００３３】
この装飾コップ８では、上容器９１の側板部９１Ａと底板部９１Ｂとで囲まれた空間が第１収容部２Ａを構成する。上容器９１の底板部９１Ｂと筒状部９２の側板部９２Ａとで囲まれた空間が第２収容部２Ｂを構成する。すなわち、第１収容部２Ａと第２収容部２Ｂとは、底板部９１Ｂによって区分されている。
【００３４】
上記構成の装飾コップ８においても、透明な容器本体９が、下面９０Ｂが開口された第２収容部２Ｂを有し、上面３０に造形物４が接着された容器底部３を容器本体９の下面に接着するだけで容易に作製することが可能であり、前述の装飾コップ１と同様に容器底部３の上面３０に接着される様々な造形物４は、透明な容器本体９を通して見ることができる。
【００３５】
なお、容器本体２，９および容器底部３の形状については、上面が開口された第１収容部２Ａと、下面が開口された第２収容部２Ｂと、第１収容部２Ａと第２収容部２Ｂとを区分して第１収容部２Ａの底面を構成する底板部２１Ｂ，９１Ｂとを有する構成であれば任意に変更することが可能である。
【産業上の利用可能性】
【００３６】
本発明の装飾コップおよびその製造方法は、コップの底の部分に造形物を配設した装飾性に優れた装飾コップおよびその製造方法として有用である。
【符号の説明】
【００３７】
１，５，８  装飾コップ
２，９  容器本体
２Ａ  第１収容部
２Ｂ  第２収容部
２Ｃ  第３収容部
３，６  容器底部
４  造形物
７  補助容器
２１  内容器
２１Ａ  側板部
２１Ｂ  底板部
２２  外筒
２２Ａ  側板部
３１  凹部
３２  貫通孔
４０  液体
６０  凹部
７０  凸部
９１  上容器
９１Ａ  側板部
９１Ｂ  底板部
９２  筒状部
９２Ａ  側板部
【図１】
2020174970.tif 000003
【図２】
2020174970.tif 000004
【図３】
2020174970.tif 000005
【図４】
2020174970.tif 000006
【図５】
2020174970.tif 000007
【図６】
2020174970.tif 000008